(57)【要約】【課題】立体感及び質感が強調された外観を有するとともに、基材の剛性及び耐久性を維持することができる建築板を提供する。【解決手段】建築板１００は、複数の斜面３０と斜面３０によって囲まれる頂部２０とを有する１又は２以上のブロック１０が表面に突出して形成される金属製の基材１を備え、ブロック１０の頂部２０には凸部１１及び凹部１２からなる凹凸模様が形成され、頂部２０は、所定の角度で光Ｌが照射されたと仮定した場合に光Ｌが当たる光反射領域１６，１７と、所定の角度で光Ｌが照射されたと仮定した場合に光Ｌが当たらずに凹凸模様に沿う陰影ができる陰影領域１５とを有し、陰影領域１５の色は光反射領域１６，１７の色よりも明度が低い。【選択図】図２
2017155540.tif 000002
【特許請求の範囲】
【請求項１】
複数の斜面と前記複数の斜面によって囲まれる頂部とを有する１又は２以上のブロックが表面に突出して形成される金属製の基材を備え、
前記ブロックの前記頂部には凹凸模様が形成され、
前記ブロックの前記頂部は、
所定の角度で光が照射されたと仮定した場合に前記光が当たる光反射領域と、
前記所定の角度で前記光が照射されたと仮定した場合に前記光が当たらずに前記凹凸模様に沿う陰影ができる陰影領域とを有し、
前記陰影領域の色は、前記光反射領域の色よりも明度が低い建築板。
【請求項２】
前記基材は塗装めっき鋼板、塗装アルミニウム板又は塗装ステンレス鋼板である請求項１に記載の建築板。
【請求項３】
前記光反射領域は、低光反射領域と、前記低光反射領域よりも色の明度が高い高光反射領域とを有する請求項１又は２に記載の建築板。
【請求項４】
前記ブロックの前記頂部に前記所定の角度で前記光が照射されたと仮定した場合に、前記高光反射領域に入射する前記光の入射角度は、前記低光反射領域に入射する前記光の入射角度よりも小さい請求項３に記載の建築板。
【請求項５】
前記高光反射領域の色と前記陰影領域の色との明度（Ｌ値）の差は１０以上である請求項３又は４に記載の建築板。
【請求項６】
前記高光反射領域の色と前記陰影領域の色との明度（Ｌ値）の差は１５以上である請求項５に記載の建築板。
【請求項７】
前記低光反射領域の色と前記陰影領域の色との明度（Ｌ値）の差は５以上である請求項３〜６のいずれか一項に記載の建築板。
【請求項８】
各々の前記ブロックの前記複数の斜面は、
前記所定の角度で前記光が照射されたと仮定した場合に前記光に対向する向きに傾斜する１又は２以上の光反射斜面と、
前記所定の角度で前記光が照射されたと仮定した場合に前記光に対向しない向きに傾斜し、陰影ができる１又は２以上の陰影斜面とを有し、
前記陰影斜面の色は、前記光反射斜面の色よりも明度が低い請求項１〜７のいずれか一項に記載の建築板。
【請求項９】
前記光反射斜面の色と前記陰影斜面の色との明度（Ｌ値）の差は１０以上である請求項８に記載の建築板。
【請求項１０】
前記ブロックの前記頂部に形成される前記凹凸模様の凹凸幅は２ｍｍ以下である請求項１〜９のいずれか一項に記載の建築板。
【請求項１１】
前記基材に形成される前記ブロックの厚さは３ｍｍ以下である請求項１〜１０のいずれか一項に記載の建築板。
【請求項１２】
前記ブロックを前記基材に対して垂直に切断した際の前記凹凸模様の前記凸部の断面が描く曲線の曲げ半径は０．５ｍｍ以上である請求項１〜１１のいずれか一項に記載の建築板。
【請求項１３】
前記ブロックを前記基材に対して垂直に切断した際の前記凹凸模様の前記凸部の断面が描く曲線の曲げ半径は１ｍｍ以上である請求項１２に記載の建築板。
【請求項１４】
前記斜面と前記頂部との間にはブロック周縁部が設けられ、
前記ブロックを前記基材に対して垂直に切断した際の前記ブロック周縁部の断面が描く曲線の曲げ半径は、０．５ｍｍ以上である請求項１〜１３のいずれか一項に記載の建築板。
【発明の詳細な説明】
【技術分野】
【０００１】
この発明は、建築板に関するものであり、特に金属製の基材を有する建築板に関する。
【背景技術】
【０００２】
外装に使用される建築板には、意匠性を高めるために様々な形状の工夫が施される。例えば、特許文献１に記載される外装材の基材の表面には、プレス成形等によって一定パターンの凹凸模様が形成され、その凹凸模様を有する表面はインクジェットにより塗装されている。
【０００３】
また、特許文献２に記載される外装材では、基材に複数のブロックが形成され、これらのブロックの一部に傾斜面が設けられることにより、特徴的な外観が作り出されている。さらに、ブロックの表面を塗装する際、ブロックの下側の傾斜面を濃く、ブロックの上側の傾斜面を淡く彩色していることにより、ブロックが立体的に見えるようになっている。
【先行技術文献】
【特許文献】
【０００４】
【特許文献１】特開２００４−０１７００７号公報
【特許文献２】特開２０１５−００７３２３号公報
【発明の概要】
【発明が解決しようとする課題】
【０００５】
しかしながら、特許文献１の外装材の基材が金属製である場合、表面の凹凸模様を強調するために凹部と凸部との高低差、すなわち凹凸幅を大きくとろうとすると、基材の変形によって基材の剛性や耐久性が低下してしまうという問題があった。
また、特許文献２の外装材のように、ブロックの各々の傾斜面毎に濃淡の異なる色が付されているだけでは、立体感や質感を充分に表現することが難しかった。
【０００６】
この発明は、このような問題を解決するためになされ、立体感及び質感が強調された外観を有するとともに、基材の剛性及び耐久性を維持することができる建築板を提供することを目的とする。
【課題を解決するための手段】
【０００７】
上記の課題を解決するために、この発明に係る建築材は、複数の斜面と複数の斜面によって囲まれる頂部とを有する１又は２以上のブロックが突出して表面に形成される金属製の基材を備え、ブロックの頂部には凹凸模様が形成され、ブロックの頂部は、所定の角度で光が照射されたと仮定した場合に光が当たる光反射領域と、所定の角度で光が照射されたと仮定した場合に光が当たらずに凹凸模様に沿う陰影ができる陰影領域とを有し、陰影領域の色は、光反射領域の色よりも明度が低い。
これにより、凹凸模様に沿ってできる陰影が視覚的に強調される。
【０００８】
この発明に係る建築材の基材は塗装めっき鋼板、塗装アルミニウム板又は塗装ステンレス鋼板であってもよい。
【０００９】
また、光反射領域は、高光反射領域と、高光反射領域よりも色の明度が低い低光反射領域とを有してもよい。
さらに、ブロックの頂部に所定の角度で光が照射されたと仮定した場合に、高光反射領域に入射する光の入射角度は、低光反射領域に入射する光の入射角度よりも小さくてもよい。
【００１０】
高光反射領域の色と陰影領域の色との明度（Ｌ値）の差は１０以上であってもよく、より好ましくは、１５以上であってもよい。
【００１１】
また、低光反射領域の色と陰影領域の色との明度（Ｌ値）の差は５以上であってもよい。
【００１２】
さらに、各々のブロックの複数の斜面は、所定の角度で光が照射されたと仮定した場合に光に対向する向きに傾斜する１又は２以上の光反射斜面と、所定の角度で光が照射されたと仮定した場合に光に対向しない向きに傾斜し、陰影ができる１又は２以上の陰影斜面とを有し、陰影斜面の色は、光反射斜面の色よりも明度が低くてもよい。
また、光反射斜面の色と陰影斜面の色との明度（Ｌ値）の差は１０以上であってもよい。
【００１３】
また、ブロックの前記頂部に形成される凹凸模様の凹凸幅は２ｍｍ以下であってもよい。
さらに、基材に形成されるブロックの厚さは３ｍｍ以下であってもよい。
【００１４】
ブロックを基材に対して垂直に切断した際の凹凸模様の凸部の断面が描く曲線の曲げ半径は０．５ｍｍ以上であってもよく、より好ましくは、１ｍｍ以上であってもよい。
【００１５】
さらにまた、斜面と頂部との間にはブロック周縁部が設けられ、ブロックを基材に対して垂直に切断した際のブロック周縁部の断面が描く曲線の曲げ半径は、０．５ｍｍ以上であってもよい。
【発明の効果】
【００１６】
この発明に係る建築板によれば、立体感及び質感が強調された外観を有するとともに、基材の剛性及び耐久性を維持することができる。
【図面の簡単な説明】
【００１７】
【図１】図１（ａ）は、実施の形態１に係る建築板の基材の表面の一部を示す図であり、図１（ｂ）は、図１（ａ）に示す建築板に陰影を表す模様を付す前の状態の基材の表面の一部を示す図である。
【図２】図１（ａ）に示す建築板を切断線ＩＩ−ＩＩに沿って切断した場合の断面の形状の一部を模式的に示す断面図である。
【図３】図１（ａ）に示す建築板を切断線ＩＩ−ＩＩに沿って切断した場合の断面の形状の一部をより拡大し、陰影領域、高光反射領域及び低光反射領域の範囲を強調して模式的に示す断面図である。
【図４】図１（ａ）に示す建築板を切断線ＩＩ−ＩＩに沿って切断した場合の断面の形状の一部をより拡大し、凹凸模様の凹部及び凸部やブロック周縁部の形状を強調して模式的に示す断面図である。
【図５】図１（ａ）に示す建築板の基材の表面の構造を拡大して模式的に示す断面図である。
【図６】図６（ａ）は、別の実施の形態に係る建築板の基材の表面の一部を示す図であり、図６（ｂ）は、図６（ａ）に示す建築板に陰影を表す模様を付す前の状態の基材の表面の一部を示す図である。
【図７】図７（ａ）は、さらに別の実施の形態に係る建築板の基材の表面の一部を示す図であり、図７（ｂ）は、図７（ａ）に示す建築板に陰影を表す模様を付す前の状態の基材の表面の一部を示す図である。
【発明を実施するための形態】
【００１８】
以下、この発明の実施の形態について添付図面に基づいて説明する。
実施の形態１．
図１に示すように、建築板１００は、長手方向Ｄに延びる平板形状の基材１を有している。基材１は、例えば溶融Ｚｎ−５５％Ａｌ合金めっき鋼板などに塗装を施した塗装めっき鋼板によって形成される。また、基材１には、エンボスロール成形により複数の長方形状又は正方形状のブロック１０が突出して形成されている。ここで、各々のブロック１０には、図１（ｂ）に示すように、砂岩石の表面を模した模様がインクジェットにより印刷される。そして、これに加え、図１（ａ）に示すように、ブロック１０には陰影を強調する模様及び色彩が付されている。
【００１９】
建築板１００の基材１の構造について、図１（ａ）及び図２を用いてさらに詳細に説明する。なお、図２は、基材１のブロック１０を、基材１に対して垂直な切断線ＩＩ−ＩＩに沿って切断した場合の断面の形状の一部を模式的に示している。
まず、各々のブロック１０は、基材１から立ち上がる４個の斜面３０と、４個の斜面３０に四辺を囲まれる長方形又は正方形の頂部２０とを有する。頂部２０には複数の凸部１１と複数の凹部１２とから構成される凹凸模様が形成されている。また、４個の斜面３０は基材１に対して同一の高さであり、頂部２０は全体として基材１が延びる方向に対して並行に延びている。さらに、頂部２０と斜面３０との間には、頂部２０の周囲を囲むようにブロック周縁部１３が設けられる。
また、ブロック１０を含む基材１の表面には、インクジェット印刷によりインキ層４０が形成されている。
なお、基材１の表面には、図５に示すように、インキ層４０の上にオーバーコート層４３が形成されているが、図２〜４において、オーバーコート層４３の表示は省略するものとする。
【００２０】
以下において、図２に示される凸部１１ａ〜１１ｃと凹部１２ａ及び１２ｂとを主な例として、ブロック１０の凹凸模様について説明する。
まず、建築板１００に所定の方向から所定の角度Θで光Ｌが照射されると仮定した場合に、頂部２０の凹凸模様に沿って影になる部分を陰影領域１５とする。具体的には、図２に示すように、凸部１１ａの陰影が投影される領域を第一陰影領域１５ａとし、さらに凸部１１ｂの陰影が投影される領域を第二陰影領域１５ｂとする。また、凹部１２ｂの内側に陰影が投影される領域を第三陰影領域１５ｃとする。またさらに、凸部１１ｃの陰影が投影される領域を第四陰影領域１５ｄとする。
【００２１】
また、頂部２０において陰影領域１５以外を占める領域、すなわち仮想の光Ｌが照射されて陰影が投影されない領域を光反射領域とする。ここで、光反射領域は、低光反射領域１７と、低光反射領域１７よりも色の明度が高い高光反射領域１６とを有する。なお、高光反射領域１６は、凸部１１の各々を挟んで、各々の陰影領域１５と反対側に位置するように形成されている。また、高光反射領域１６と低光反射領域１７とは、図３に示すように、高光反射領域１６に入射する仮想の光Ｌの入射角度Ａ１が、低光反射領域１７に入射する光Ｌの入射角度Ａ２よりも小さくなるように設けられている。
【００２２】
具体的には、図２において、凸部１１ａを挟んで第一陰影領域１５ａの反対側かつ上側の部分には、第一高光反射領域１６ａが設けられる。さらに、凸部１１ｂを挟んで第二陰影領域１５ｂの反対側かつ上側の部分は、第二高光反射領域１６ｂとなる。また、第三陰影領域１５ｃの下側において、凸部１１ｃを挟んで第四陰影領域１５ｄの反対側かつ上側の部分には、第三高光反射領域１６ｃが設けられる。
【００２３】
また、頂部２０の上端のブロック周縁部１３を覆う部分には、第一低光反射領域１７ａが形成される。また、第一陰影領域１５ａと第一高光反射領域１６ａとの間には、第二低光反射領域１７ｂが形成される。また、第一陰影領域１５ａと第二高光反射領域１６ｂとの間には、凹部１２ａの内側に第三低光反射領域１７ｃが設けられる。さらにまた、第二高光反射領域１６ｂと第二陰影領域１５ｂとの間には、凸部１１ａの頂点付近に第四低光反射領域１７ｄが設けられる。さらに、第二陰影領域１５ｂと第三陰影領域１５ｃとの間の領域は、第五低光反射領域１７ｅをなす。さらにまた、第三高光反射領域１６ｃと第四陰影領域１５ｄとの間には、凸部１１ｃの頂点付近に第六低光反射領域１７ｆが設けられる。さらに、頂部２０の下端のブロック周縁部１３を覆う部分には、第七低光反射領域１７ｇが形成される。
【００２４】
ここで、図１（ａ）及び図２、３のインキ層４０に示すように、各ブロック１０の頂部２０の陰影領域１５に印刷される色は、高光反射領域１６又は低光反射領域１７に印刷される色よりも濃くなっている。すなわち、陰影領域１５の色は高光反射領域１６又は低光反射領域１７の色よりも明度が低い。なお、陰影領域１５の色と高光反射領域１６の色との明度（Ｌ値）の差は１５以上であるものとする。また、陰影領域１５の色と低光反射領域１７の色との明度（Ｌ値）の差は５以上であるものとする。
【００２５】
また、同様に、建築板１００に所定の方向から所定の角度Θで光Ｌが照射されると仮定した場合に、光Ｌに対向する向きに傾斜する上側の斜面３０を光反射斜面３０ａとする。さらに、この場合に、光Ｌに対向しない向きに傾斜し、陰影ができる下側の斜面３０を陰影斜面３０ｂとする。
【００２６】
ここで、光反射領域１６，１７及び陰影領域１５と同様に、陰影斜面３０ｂに印刷される色は光反射斜面３０ａに印刷される色よりも濃い。すなわち、陰影斜面３０ｂの色は光反射斜面３０ａの色よりも明度が低い。なお、光反射斜面３０ａの色と陰影斜面３０ｂの色との明度（Ｌ値）の差は、１０以上であるものとする。
【００２７】
次に、凸部１１、凹部１２及びブロック周縁部１３の詳細な形状について、図２及び４を用いて説明する。なお、図４は、基材１のブロック１０を、基材１に対して垂直な切断線ＩＩ−ＩＩに沿って切断した場合の断面の形状の一部を拡大して模式的に示している。また、図４では、光反射領域１６，１７及び陰影領域１５の図示は省略されるものとする。
【００２８】
まず、図２に示される凹凸模様の中で頂部２０から最も突出した凸部１１ｂの頂点と、最も深く窪んだ凹部１２ｂの底点との高低差、すなわち凹凸模様の凹凸幅をｈ１とすると、ｈ１は２ｍｍ以下となる。このように、頂部２０の凹凸模様は、全ての凸部１１と凹部１２との高低差、すなわち凹凸幅が２ｍｍ以下となるように形成されている。なお、凹凸幅ｈ１とは、凹凸模様が形成される範囲の、頂部２０に対する垂直方向における幅の大きさをいう。
また、ブロック１０の厚さｈ２は３ｍｍ以下となるように形成されている。ここで、ブロック１０の厚さとは、斜面３０の下端を起点として、頂部２０の最も突出した部分、すなわち凸部１１ｂの頂点までの高低差ｈ２をいう。
【００２９】
また、図４に示すように、頂部２０の凹凸模様の凸部１１の断面が描く曲線の曲げ半径をＲ１とする。また、同様に凹部１２の断面が描く曲線の曲げ半径をＲ２とする。ここで、曲げ半径Ｒ１及びＲ２は、各々、０．５ｍｍ以下となるように形成されている。
また、ブロック周縁部１３の断面が描く曲線の曲げ半径をＲ３とすると、曲げ半径Ｒ３は、０．５ｍｍ以下となるように形成されている。
【００３０】
また次に、図５を用いて、基材１の表面処理について説明する。
まず、基材１は、鋼材１ａにめっき層１ｂが形成され、その上に下塗り塗膜１ｃ及びインキ受理層１ｄが形成されたものである。
下塗り塗膜１ｃは、塗膜密着性および耐食性を向上させる。下塗り塗膜１ｃは、例えば樹脂を含む下塗り塗料を基材１の表面に塗布し、乾燥（または硬化）させることで形成される。下塗り塗料に含まれる樹脂の種類の例には、ポリエステル、エポキシ樹脂、アクリル樹脂などが含まれる。
また、下塗り塗膜１ｃの上には、インキ受理層１ｄが形成される。インキ受理層１ｄは、活性光線硬化型等のインキを受理するための層である。インキ受理層１ｄは、マトリックスとなる樹脂を含む。ここで、マトリックスとなる樹脂の例には、ポリエステル、アクリル樹脂、ポリフッ化ビニリデン、ポリウレタン、エポキシ樹脂、ポリビニルアルコール、フェノール樹脂が含まれる。
【００３１】
次に、インキ受理層１ｄの上には、インキ層４０が形成される。そして、インキ層４０のさらに上には、オーバーコート層４３が形成される。オーバーコート層４３に用いられる塗料の例には、有機溶剤型塗料、水系塗料、粉体塗料が含まれる。また、これらの塗料に用いられる樹脂成分の例には、アクリル樹脂系、ポリエステル系、アルキド樹脂系、シリコーン変性アクリル樹脂系、シリコーン変性ポリエステル系、シリコーン樹脂系、フッ素樹脂系が含まれる。オーバーコート層４３は、これらの塗料をインキ層４０の表面に塗布し、乾燥（または硬化）させることで形成される。このようなオーバーコート層４３がインキ層４０の表面に形成されることにより、インキ層４０が保護される。
【００３２】
以上より、この実施の形態１に係る建築板１００では、ブロック１０の頂部２０の凹凸模様に沿って形成される陰影領域１５の色の明度が光反射領域１６，１７の明度よりも低いことにより、凹凸模様が視覚的に強調される。従って、ブロック１０の凹凸模様の立体感と質感がより強調され、建築板１００の意匠性が向上する。
【００３３】
また、光反射領域１６，１７は、低光反射領域１７と、低光反射領域１７よりも色の明度が高い高光反射領域１６とを有している。そして、高光反射領域１６と低光反射領域１７とは、仮想の光Ｌが高光反射領域１６に入射する入射角度Ａ１が低光反射領域１７に入射する入射角度Ａ２よりも小さくなるように配置されている。これにより、高光反射領域１６は、特に強く光を反射している部分を表現するハイライトとしての効果を有している。従って、ブロック１０の凹凸模様の立体感と質感がより強く強調される。
この時、高光反射領域１６の色と陰影領域１５の色との明度（Ｌ値）の差は１５以上であるため、高光反射領域１６はハイライトの効果を有し、凹凸模様の立体感が強調される。
また、低光反射領域１７の色と陰影領域１５の色との明度（Ｌ値）の差は５以上であるため、低光反射領域１７に対して陰影領域１５の色の暗さがより強調され、凹凸模様の立体感もより強調される。
【００３４】
また、凹凸模様の凹凸幅、すなわち頂面２０における凸部１１と凹部１２との高低差を大きくとらなくとも、凹凸模様の立体感が充分に表現されるため、凹凸模様の凹凸幅ｈ１は２ｍｍ以下になるように形成されている。従って、エンボスロール成形による変形の度合いを小さくすることができるため、基材１の剛性と耐久性の維持することができる。
【００３５】
さらに、同様に、凹凸模様の凸部１１の断面の曲げ半径を小さくして凸部１１を強調しなくとも、凹凸模様の立体感が充分に表現されるため、凸部１１の断面の曲げ半径Ｒ１は０．５ｍｍ以上の緩やかな曲線を描くように形成されている。また、凹部１２の断面の曲げ半径Ｒ２も同様である。これにより、建築板１００の外観の意匠性を高めつつ、基材１の変形の度合いを小さくして剛性と耐久性を維持することができる。
【００３６】
さらにまた、基材１が塗装めっき鋼板によって形成されているため、変形の度合いが大きいと、めっき層１ｂ、下塗り塗膜１ｃやインキ受理層１ｄにクラックが発生しやすく、意匠性の低下や腐食による耐久性の低下に繋がる可能性があった。しかしながら、この実施の形態では、前述のように凹凸模様による基材１の変形が緩やかなため、塗装めっき鋼板である基材１のクラックの発生を防止することができる。
【００３７】
また、この実施の形態１に係る建築板では、ブロック１０の陰影斜面３０ｂの色の明度が光反射斜面３０ａの明度よりも低いことにより、各々のブロック１０の立体感がより強調され、建築板１００の意匠性をより向上させることができる。
【００３８】
さらに、ブロック１０を大きく突出させなくとも、ブロック１０の立体感が充分に表現されるため、ブロック１０の厚さｈ２は３ｍｍ以下となるように形成される。
また、ブロック周縁部１３の断面の曲げ半径を小さくして曲げの角度を急にしなくとも、ブロック１０の立体感や輪郭が充分に強調されるため、ブロック周縁部１３の断面の曲げ半径Ｒ３は０．５ｍｍ以上の緩やかな曲線を描くように形成される。
これにより、建築板１００の外観の意匠性を高めつつ、基材１の変形の度合いを抑えて基材１の剛性と耐久性を維持することができ、クラックの発生も防止される。
【００３９】
またさらに、ブロック１０の陰影斜面３０ｂの色と光反射斜面３０ａの色との明度（Ｌ値）の差を１０以上とすることにより、各々のブロック１０の立体感と輪郭をより明瞭に強調することができる。
【００４０】
なお、この実施の形態において、ブロック１０の頂部２０の形状は長方形又は正方形に限定されず、例えば、一部分が切り欠かれた略Ｌ字形状をなしていてもよい。
また、ブロック１０は、３個の斜面３０と、斜面３０に三辺を囲まれる三角形状の頂部２０とを有していてもよい。さらに、頂部２０の形状はその他の多角形をなしていてもよい。
【００４１】
また、ブロック１０の複数の斜面３０は、全て同じ高さでなくともよく、各々高さを変えることにより、ブロック１０が全体的に傾斜のついた形状となっていてもよい。さらに、頂部２０内に凹凸模様だけでなく段差を設けて、ブロック１０の外観をより変化に富んだ意匠としてもよい。
【００４２】
また、この実施の形態において、基材１は塗装めっき鋼板に限定されず、塗装アルミニウム板又は塗装ステンレス鋼板によって形成されてもよい。この場合も、凹凸模様による基材１の変形が緩やかなことにより、基材１の剛性及び耐久性を維持することができる。なお、アルミニウム板はアルミニウム合金板を含むものとする。
【００４３】
また、この実施の形態において、高光反射領域１６の色と陰影領域１５の色との明度（Ｌ値）の差は１５以上であるが、これに限定はされない。例えば、高光反射領域１６の色と陰影領域１５の色との明度（Ｌ値）の差が１０以上であれば、ブロック１０の凹凸模様は充分に強調される。
【００４４】
さらに、凸部１１の断面の曲げ半径Ｒ１は０．５ｍｍ以上とされているが、さらに緩やかな曲線を描くように、凸部１１の断面の曲げ半径Ｒ１は１ｍｍ以上であってもよい。これにより、基材１の変形の度合いをより小さくして、基材１の剛性及び耐久性をより確実に維持することができる。
【００４５】
なお、光反射斜面３０ａ又は陰影斜面３０ｂは、図１（ａ）に示す実施の形態１に限定されず、上側及び下側の斜面３０だけでなく、左右の斜面３０も同様に、光Ｌに対する向きに応じて各々、光反射斜面３０ａ又は陰影斜面３０ｂを構成し得る。
さらに、仮想の光Ｌの角度に関係なく、４個の斜面３０のうちの下側に位置する斜面３０のみが陰影斜面３０ｂとして他の斜面３０、すなわち他の３個の斜面３０よりも明度が低い色を付されていてもよい。
【００４６】
また、この実施の形態に係る建築板１００は、図１（ｂ）に示すような砂岩石の模様を付した基材１に、図１（ａ）に示す岩肌のような陰影が表現される例には限定されず、図６及び７に示すような形状の建築板２００，３００であってもよい。
【００４７】
ここで、別の実施形態に係る建築板２００の金属製の基材２０１には、図６（ｂ）に示すような石壁を模した模様が付される。そして、これに加え、基材２０１には、図６（ａ）に示すような細かく波打つ岩肌を表現する陰影が強調された印刷が施されている。具体的には、図６（ａ）に示すように、基材２０１には複数の長方形状のブロック２１０が形成されている。ブロック２１０は、実施の形態１のブロック１０と同様に、４個の斜面２３０と斜面２３０によって囲まれる頂部２２０とを有している。ブロック２１０の頂部２２０には凹凸模様が形成され、頂部２２０には、仮想の光Ｌが照射されたと仮定した場合に光Ｌが当たる光反射領域２１７と、凹凸模様に沿う陰影ができる陰影領域２１５とを有する。そして、陰影領域２１５の色は、光反射領域２１７の色よりも濃く、明度が低い。
また、複数の斜面２３０には、仮想の光Ｌが照射されたと仮定した場合に光Ｌが当たる光反射斜面２３０ａと、光Ｌが当たらず陰影ができる陰影斜面２３０ｂとが含まれる。
【００４８】
以上より、建築板２００では、ブロック２１０の頂部２２０の凹凸模様に沿って形成される陰影領域２１５の色の明度が光反射領域２１７の明度よりも低いことにより、凹凸模様が強調される。また、陰影斜面２３０ｂの色の明度が光反射斜面２３０ａの明度よりも低いことにより、ブロック１０の立体感が強調される。従って、実施の形態１に係る建築板１００と同様に、建築板２００の意匠性が向上するとともに、エンボスロール成形による基材２０１の変形の度合いが抑えられ、基材２０１の剛性及び耐久性が維持される。
【００４９】
また、さらに別の実施形態に係る建築板３００の金属製の基材３０１には、図７（ｂ）に示すような小石積み模様が付される。そして、これに加え、図７（ａ）に示すような、左右方向に荒く削り取られた石の欠けを表現する陰影が強調された印刷が施されている。具体的には、図７（ａ）に示すように、基材３０１には様々な寸法の長方形状のブロック３１０が形成されている。ブロック３１０は、建築板１００のブロック１０及び建築板２００のブロック２１０と同様に、４個の斜面３３０と斜面３３０によって囲まれる頂部３２０とを有している。ブロック３１０の頂部３２０には凹凸模様が形成され、頂部３２０には、仮想の光Ｌが照射されたと仮定した場合に光Ｌが当たる光反射領域３１６，３１７と、凹凸模様に沿う陰影ができる陰影領域３１５とを有する。そして、陰影領域３１５の色は、光反射領域３１６，３１７の色よりも濃く、明度が低い。また、光反射領域３１６，３１７は、低光反射領域３１７と、低光反射領域３１７よりも色の明度が高い高光反射領域３１６とを有する。高光反射領域３１６は、石の欠けの模様に沿ったハイライトとして形成されている。
また、４個の斜面３３０には、仮想の光Ｌが照射されたと仮定した場合に光Ｌが当たる光反射斜面３３０ａと、光Ｌが当たらず陰影ができる陰影斜面３３０ｂとが含まれる。
【００５０】
以上より、建築板３００では、建築板１００，２００と同様に、ブロック３１０の立体感やブロック３１０の頂部３２０の凹凸模様がより強調される。従って、建築板３００の意匠性が向上するとともに、エンボスロール成形による基材３０１の変形の度合いが抑えられ、基材３０１の剛性及び耐久性が維持される。
【符号の説明】
【００５１】
１，２０１，３０１  基材、１０，２１０，３１０  ブロック、１１  凸部（凹凸模様）、１２  凹部（凹凸模様）、１６，３１６  高光反射領域、１７，３１７  低光反射領域、２１７  光反射領域、１５，２１５，３１５  陰影領域、３０，２３０，３３０  斜面、３０ａ，２３０ａ，３３０ａ  光反射斜面、３０ｂ，２３０ｂ，３３０ｂ  陰影斜面、１００，２００，３００  建築板、ｈ１  凹凸幅、ｈ２  ブロックの厚さ。
【図１】
2017155540.tif 000003
【図２】
2017155540.tif 000004
【図３】
2017155540.tif 000005
【図４】
2017155540.tif 000006
【図５】
2017155540.tif 000007
【図６】
2017155540.tif 000008
【図７】
2017155540.tif 000009